(57)【要約】【課題】高速動作を阻害することなく、コモンモードノイズを抑制する。【解決手段】コモンモードノイズ抑制回路（１１）は、第１及び第２の出力端子（３８，３９）を備え、差動信号を第１及び第２の出力端子（３８，３９）から送信する送信信号出力回路（１２）のためのコモンモードノイズ抑制回路（１１）であって、第１の出力端子（３８）又は第２の出力端子（３９）に電流を挿入し又は電流を引き抜くための電流を発生する第１及び第２の電流パルス発生回路（１６，１７）と、送信信号出力回路（１２）の駆動制御クロックに同期して、送信される差動信号のコモンモードノイズを抑制する電流パルスを生成するように、第１及び第２の電流パルス発生回路（１６，１７）を制御する制御回路（１５）とを備える。【選択図】図２
2014241582.tif 000002
【特許請求の範囲】
【請求項１】
第１及び第２の出力端子を備え、差動信号を前記第１及び第２の出力端子から送信する送信信号出力回路のためのコモンモードノイズ抑制回路であって、
前記第１の出力端子に電流を挿入し又は電流を引き抜くための電流を発生する第１の発生回路と、
前記第２の出力端子に電流を挿入し又は電流を引き抜くための電流を発生する第２の発生回路と、
前記送信信号出力回路の駆動制御クロックに同期して、前記送信される差動信号のコモンモードノイズを抑制する電流パルスを生成するように、前記第１及び第２の発生回路を制御する制御回路とを備えるコモンモードノイズ抑制回路。
【請求項２】
前記送信信号出力回路は、
直流電源に接続された一端を有する第１の電流源と、
接地された一端を有する第２の電流源と、
前記第１の出力端子と前記第１の電流源の他端との間に接続された第１のスイッチと、
前記第２の出力端子と前記第１の電流源の他端との間に接続された第２のスイッチと、
前記第１の出力端子と前記第２の電流源の他端との間に接続された第３のスイッチと、
前記第２の出力端子と前記第２の電流源の他端との間に接続された第４のスイッチと、
前記第１の出力端子と前記第２の出力端子との間に接続された終端抵抗と
を備え、
前記送信信号出力回路は、当該送信信号出力回路の駆動制御クロックに同期して、前記第１、第２、第３及び第４のスイッチに対する駆動制御信号を発生し、前記第１、第２、第３及び第４のスイッチの少なくとも一部のスイッチをオン・オフすることにより差動信号を前記第１及び第２の出力端子から送信する請求項１記載のコモンモードノイズ抑制回路。
【請求項３】
前記制御回路は、前記第１、第２、第３及び第４のスイッチの遷移状態と、前記第１及び第２の出力端子から送信される差動信号の遷移状態に対応して前記第１及び第２の発生回路を制御する制御信号との組合せである複数のケースを含む制御テーブルを格納する記憶装置を備え、
前記制御回路は、前記第１及び第２の出力端子から送信される差動信号の信号電圧に基づいて、上記複数のケースから選択される１つのケース並びに前記制御信号のタイミング及び信号幅を変えながら前記コモンモードノイズが最小となるケース、タイミング及び信号幅を探索して、当該探索結果を設定して前記第１及び第２の発生回路を制御する請求項２記載のコモンモードノイズ抑制回路。
【請求項４】
前記制御回路は、前記送信信号出力回路の動作時において前記コモンモードノイズが最小となるケース、タイミング及び信号幅を探索して、当該探索結果に基づいて前記第１及び第２の発生回路を適応制御する請求項３記載のコモンモードノイズ抑制回路。
【請求項５】
前記第１及び第２の電流源はそれぞれトランジスタで構成され、
前記第１、第２、第３及び第４のスイッチはそれぞれトランジスタで構成される請求項２〜４のうちのいずれか１つに記載のコモンモードノイズ抑制回路。
【請求項６】
前記第１及び第２の発生回路はそれぞれ、
前記第１又は第２の出力端子に接続された第３の出力端子と、
前記直流電源に接続された一端を有する第３の電流源と、
前記第３の電流源の他端と前記第３の出力端子との間に接続された第５のスイッチと、
前記接地に接続された一端を有する第４の電流源と、
前記第４の電流源の他端と前記第３の出力端子との間に接続された第６のスイッチとを備え、
前記制御回路は、
前記第５及び第６のスイッチを制御するためのスイッチ制御信号を発生する請求項１〜５のうちのいずれか１つに記載のコモンモードノイズ抑制回路。
【請求項７】
前記第１及び第２の発生回路はそれぞれ、
前記第１又は第２の出力端子に接続された第３の出力端子と、
前記直流電源と前記第３の出力端子との間に接続された、第３の電流源および第５のスイッチで構成される直列回路と、
前記接地と前記第３の出力端子との間に接続された、第４の電流源および第６のスイッチで構成される直列回路とを備え、
前記制御回路は、前記第５及び第６のスイッチを制御するためのスイッチ制御信号を発生する請求項１〜５のうちのいずれか１つに記載のコモンモードノイズ抑制回路。
【請求項８】
前記第３及び第４の電流源はそれぞれトランジスタで構成され、
前記第５及び第６のスイッチはそれぞれトランジスタで構成される請求項６又は７記載のコモンモードノイズ抑制回路。
【請求項９】
前記第３の電流源と前記第５のスイッチは１つのトランジスタで構成され、
前記第４の電流源と前記第６のスイッチは１つのトランジスタで構成される請求項６又は７記載のコモンモードノイズ抑制回路。
【請求項１０】
前記制御回路は、予め定められたタイミングで予め定められた期間、前記第１の出力端子又は前記第２の出力端子にそれぞれ電流を挿入し又は電流を引き抜くための電流を発生させるように、前記第１及び第２の発生回路を制御する請求項１〜９のうちいずれか１つに記載のコモンモードノイズ抑制回路。
【請求項１１】
前記予め定められたタイミング及び前記予め定められた期間は、前記送信信号出力回路のコモンモードノイズの測定結果に基づいて予め前記制御回路に設定される、請求項１０記載のコモンモードノイズ抑制回路。
【請求項１２】
請求項１〜１１のうちのいずれか１つに記載のコモンモードノイズ抑制回路と、
前記送信信号出力回路とを備える差動信号送信装置。
【請求項１３】
前記差動信号送信装置は半導体集積回路で構成される請求項１２記載の差動信号送信装置。
【請求項１４】
前記差動信号送信装置は表示用画像データの差動信号を送信する請求項１２又は１３記載の差動信号送信装置。
【請求項１５】
請求項１２又は１３記載の差動信号送信装置と、
前記差動信号送信装置からの差動信号を受信する差動信号受信装置とを備える差動信号伝送システム。
【請求項１６】
請求項１４記載の差動信号送信装置と、
前記差動信号送信装置からの差動信号を受信する差動信号受信装置とを備え、
前記差動信号伝送システムは画像表示システムである差動信号伝送システム。
【請求項１７】
請求項１６記載の前記差動信号伝送システムを有する車載電子機器。
【発明の詳細な説明】
【技術分野】
【０００１】
本開示は、例えば液晶ディスプレイなどの表示装置と画像処理ＬＳＩ間の画像データ通信インターフェースなどから発生するコモンモードノイズを抑制するコモンモードノイズ抑制回路、それを備えた差動信号送信装置、当該差動信号送信装置を備えた差動信号伝送システム、並びに当該差動信号伝送システムを備えた車載電子機器に関する。
【背景技術】
【０００２】
デジタル映像技術の進歩に伴い、高画質の動画がスマートフォンやタブレット機器などに代表されるモバイル機器でも視聴できるようになってきている。これらの小型で高画質な表示機器は車載機器としても採用されはじめており、ナビゲーションシステムや、映画鑑賞などのための車内エンターテイメント、また、スピードメーターや燃料計、走行距離など自動車の走行に必要な情報を表示するインスツルメントパネルにも採用されはじめている。さらにはヘッドアップディスプレイなど運転者が視線移動なしに必要な情報を得られるようにフロントガラス前方に画像を投影して見せる技術などが盛んに開発されている。
【０００３】
一方、このような高画質の画像表示を実現するためには、大量の画像データを表示機器に送信する必要があり、表示機器と画像処理ＬＳＩとの間のデータ通信を行うインターフェースのデータ通信帯域は増加の一途をたどっている。通信帯域の増加によりこれら表示機器と画像処理ＬＳＩの間のインターフェースが原因で発生する電磁輻射ノイズが無視できないものとなってきており、特に車載機器では安全性の観点から厳格な規格が設けられるなど、電磁輻射ノイズの抑制が重大な技術課題となっている。
【０００４】
通常、表示機器と画像処理ＬＳＩの間のインターフェースにはＬＶＤＳ（Ｌｏｗ  Ｖｏｌｔａｇｅ  Ｄｉｆｆｅｒｅｎｔｉａｌ  Ｓｗｉｎｇ）などに代表される小振幅の差動（ディファレンシャル）インターフェースが用いられる。広く知られているように差動対で信号を伝達することにより発生する磁界を打ち消し合い、電磁輻射の影響を軽減することができる。このように差動成分（ディファレンシャルモード）の電磁輻射はキャンセルすることは可能であるが、コモンモード（同相成分）はキャンセルされることなく電磁輻射の原因となる。コモンモード電圧は受信端で一定になるように制御されているが、送信機がデータを生成する際に行うスイッチング時に発生するスイッチングノイズなどがコモンモードに変換されてコモンモードノイズとなって現れる。これら送信機のスイッチングの頻度及びスピードが伝送帯域の増加に伴い増加しており、電磁輻射ノイズの増加の原因となっている。
【０００５】
従来のコモンモードノイズ抑制回路としては、スイッチングノイズを低減する目的でスイッチを構成するトランジスタの制御信号をトランジスタの極性に応じて最適化しているものがあった（例えば、特許文献１参照）。
【先行技術文献】
【特許文献】
【０００６】
【特許文献１】特開２０１２−１０５１３５号公報
【発明の概要】
【発明が解決しようとする課題】
【０００７】
しかしながら、前記従来の構成では、トランジスタの入力信号レベルを制限するため、必要な電流を流すためにはトランジスタサイズを大きくせねばならず、結果としてトランジスタの寄生容量成分も大きくなり高速動作を阻害するという問題点があった。
【０００８】
本開示は、前記従来の課題を解決するもので、高速動作を阻害することなく、コモンモードノイズを抑制することを目的とする。
【課題を解決するための手段】
【０００９】
前記従来の課題を解決するために、本開示のコモンモードノイズ抑制回路は、第１及び第２の出力端子を備え、差動信号を第１及び第２の出力端子から送信する送信信号出力回路のためのコモンモードノイズ抑制回路であって、第１の出力端子に電流を挿入し又は電流を引き抜くための電流を発生する第１の発生回路と、第２の出力端子に電流を挿入し又は電流を引き抜くための電流を発生する第２の発生回路と、送信信号出力回路の駆動制御クロックに同期して、送信される差動信号のコモンモードノイズを抑制する電流パルスを生成するように、第１及び第２の発生回路を制御する制御回路とを備える。
【発明の効果】
【００１０】
本開示のコモンモードノイズ抑制回路によれば、高速動作を阻害することなく、コモンモードノイズを抑制することができる。
【図面の簡単な説明】
【００１１】
【図１】本開示の実施の形態１にかかる差動信号伝送システムの構成を示すブロック図である。
【図２】図１の差動信号送信装置１のコモンモードノイズ抑制回路１１及び送信信号出力回路１２の構成を示す回路図である。
【図３Ａ】図２の電流パルス発生回路１６の構成例を示す回路図である。
【図３Ｂ】図２の電流パルス発生回路１６の第１の変形例である電流パルス発生回路１６Ａの構成例を示す回路図である。
【図３Ｃ】図２の電流パルス発生回路１６の第２の変形例である電流パルス発生回路１６Ｂの構成例を示す回路図である。
【図４】図１及び図２の制御回路１５の構成を示すブロック図である。
【図５Ａ】図４の制御パルス発生回路４１，４２，４３，４４の構成を示すブロック図である。
【図５Ｂ】図５Ａの制御パルス発生回路４１，４２，４３，４４の動作例を示すタイミングチャートである。
【図６】図５Ａの可変遅延回路４８の構成を示す回路図である。
【図７】図１のテーブルメモリ１８に格納されるスイッチ制御テーブルを示す図である。
【図８Ａ】図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＰＹ０、イネーブル信号ＥＮＰＹ０、コントロールデータ信号ＣＮＴＰＹ０、及びスイッチ制御信号ＰＹ０のタイミングチャートである。
【図８Ｂ】図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＰＹ１、イネーブル信号ＥＮＰＹ１、コントロールデータ信号ＣＮＴＰＹ１、及びスイッチ制御信号ＰＹ１のタイミングチャートである。
【図８Ｃ】図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＮＹ０、イネーブル信号ＥＮＮＹ０、コントロールデータ信号ＣＮＴＮＹ０、及びスイッチ制御信号ＮＹ０のタイミングチャートである。
【図８Ｄ】図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＮＹ１、イネーブル信号ＥＮＮＹ１、コントロールデータ信号ＣＮＴＮＹ１、及びスイッチ制御信号ＮＹ１のタイミングチャートである。
【図９】本開示の実施の形態２にかかる車載表示機器６１，６２の使用例を示す正面図である。
【図１０Ａ】図９の車載表示機器６１，６２と半導体集積回路６３，６４との接続を示すブロック図である。
【図１０Ｂ】図１０Ａの変形例であって、図９の車載表示機器６１，６２と半導体集積回路６９との接続を示すブロック図である。
【図１１】本開示の実施の形態３にかかる差動信号伝送システムのための、差動信号送信装置１Ａのコモンモードノイズ抑制回路１１Ａ及び送信信号出力回路１２Ａの構成を示す回路図である。
【図１２】図１１の制御回路１５Ａの構成を示すブロック図である。
【図１３】図１１及び図１２の可変遅延回路７２，７３，７４，７５，８１，８２，８３，８４の構成を示すブロック図である。
【発明を実施するための形態】
【００１２】
以下、本開示に係る実施形態について図面を参照して説明する。なお、以下の各実施形態において、同様の構成要素については同一の符号を付している。
【００１３】
（実施の形態１）
図１は本開示の実施の形態１にかかる差動信号伝送システムの構成を示すブロック図である。また、図２は図１の差動信号送信装置１のコモンモードノイズ抑制回路１１及び送信信号出力回路１２の構成を示す回路図である。
【００１４】
図１において、本実施の形態にかかる差動信号伝送システムは、差動信号を送信する差動信号送信装置１と、差動信号を受信する差動信号受信装置２と、それらを接続する差動信号伝送路３とを備えて構成される。ここで、差動信号送信装置１は、コモンモードノイズ抑制回路１１と、送信信号出力回路１２とを備えて構成される。コモンモードノイズ抑制回路１１は、２つの電流パルス発生回路１６，１７と、これらの動作を制御するためのスイッチ制御テーブルを格納したテーブルメモリ１８を有する制御回路１５とを備えて構成される。さらに、差動信号伝送システムは、送信信号出力回路１２の出力端子３８，３９からそれぞれ出力される差動信号Ｙ０，Ｙ１の信号電圧を検出する電圧検出器４と、検出された２つの信号電圧に基づいて、テーブルメモリ１８のスイッチ制御テーブルを作成して、固定して格納し、もしくは適応的に制御する適応化コントローラ５とをさらに備える。
【００１５】
まず、図２を参照して、送信信号出力回路１２の構成及び動作について以下に説明する。
【００１６】
図２において、送信信号出力回路１２は、同一の電流量の電流を流す電流源として動作する電流源トランジスタ３１，３２と、スイッチトランジスタ３３，３４，３５，３６と、終端抵抗３７と、出力端子３８，３９とを備えて構成される。ここで、スイッチトランジスタ３３，３５は例えばＰチャンネルＭＯＳトランジスタ（以下、ＰＭＯＳトランジスタという。）で構成され、スイッチトランジスタ３４，３６は例えばＮチャンネルＭＯＳトランジスタ（以下、ＮＭＯＳトランジスタという。）で構成される。直流電源の電源電圧ＶＤＤと接地との間に、電流源トランジスタ３１と、スイッチトランジスタ３３，３４と、電流源トランジスタ３２とが直列に接続され、また、電源電圧ＶＤＤと接地との間に、電流源トランジスタ３１と、スイッチトランジスタ３５，３６と、電流源トランジスタ３２とが直列に接続される。ここで、スイッチトランジスタ３３のドレインとスイッチトランジスタ３４のドレインは出力端子３８に接続され、スイッチトランジスタ３５のドレインとスイッチトランジスタ３６のドレインは出力端子３９に接続される。出力端子３８，３９との間には終端抵抗３７が接続される。
【００１７】
以上のように構成された送信信号出力回路１２において、送信されるデータ信号である差動信号は終端抵抗３７を流れる電流の向きによってデジタル２値を表現する。電流の向きはスイッチトランジスタ３３〜３６で制御され、例えば、スイッチトランジスタ３３をオン、スイッチトランジスタ３４をオフ、スイッチトランジスタ３５をオフ、スイッチトランジスタ３６をオンとすると、電流源トランジスタ３１で生成された電流はスイッチトランジスタ３３、終端抵抗３７、スイッチトランジスタ３６と流れ、最終的に電流源トランジスタ３２に流れ込む。このとき、出力端子３８に発生する信号Ｙ０の電圧ＶＹ０は、出力端子３９に発生する信号Ｙ１の電圧ＶＹ１に比べて高くなる。この状態をデジタル値“０”に対応するとする。
【００１８】
反対にスイッチトランジスタ３３をオフ、スイッチトランジスタ３４をオン、スイッチトランジスタ３５をオン、スイッチトランジスタ３６をオフとすると、電流源トランジスタ３１で生成された電流は、スイッチトランジスタ３５、終端抵抗３７、スイッチトランジスタ３４を通って電流源トランジスタ３２に流れ込む。この状態では先ほどとは終端抵抗３７を流れる電流の向きが反転しており、電圧ＶＹ１の方が電圧ＶＹ０より高い状態となり、この状態をデジタル値“１”に対応づけることができる。このように、送信信号出力回路１２では、電流源トランジスタ３１及び３２で生成される電流を制御するスイッチトランジスタ３３，３４，３５，３６により終端抵抗３７に流れる電流の向きを切り替えることによってデジタル２値を表現し、差動信号であるデータ信号を伝送する。
【００１９】
次いで、図２を参照してコモンモードノイズ抑制回路１１の構成及び動作について以下に説明する。
【００２０】
図２において、コモンモードノイズ抑制回路１１は、差動信号送信装置１の出力端子３９に接続される電流パルス発生回路１６と、出力端子３８に接続される電流パルス発生回路１７と、電流パルス発生回路１６及び１７を制御するためのスイッチ制御テーブルを格納してなるテーブルメモリ１８を有し、電流パルス発生回路１６，１７の動作を制御して信号Ｙ０及びＹ１に発生するスイッチングノイズを打ち消す電流パルスＰＮＹ０，ＰＮＹ１を発生して挿入する制御回路１５とを備える。ここで、電流パルス発生回路１６は、電流源トランジスタ２１ａと、制御回路１５からのスイッチ制御信号ＰＹ１，ＮＹ１によりそれぞれ制御されるスイッチトランジスタ２３ａ，２４ａと、電流源トランジスタ２２ａとを備えて構成され、電源電圧ＶＤＤと接地との間にこれらの素子が直列に接続される。また、電流パルス発生回路１７は、電流源トランジスタ２１ｂと、制御回路１５からのスイッチ制御信号ＰＹ０，ＮＹ０によりそれぞれ制御されるスイッチトランジスタ２３ｂ，２４ｂと、電流源トランジスタ２２ｂとを備えて構成され、電源電圧ＶＤＤと接地との間にこれらの素子が直列に接続される。
【００２１】
以上のように構成されたコモンモードノイズ抑制回路１１においては、例えばスイッチトランジスタ２３ａがオンすれば、電流パルスＰＮＹ１を発生して出力端子３９に挿入することができる一方、スイッチトランジスタ２４ａがオンすれば、出力端子３９から電流パルスＰＮＹ１を引き抜くことができる。また、例えばスイッチトランジスタ２３ｂがオンすれば、電流パルスＰＮＹ０を発生して出力端子３８に挿入することができる一方、スイッチトランジスタ２４ｂがオンすれば、出力端子３８から電流パルスＰＮＹ０を引き抜くことができる。制御回路１５は、予め定められたタイミングで予め定められた期間、出力端子３９及び３８にそれぞれ電流を挿入し又は電流を引き抜くための電流を発生させるように、電流パルス発生回路１６及び１７を制御する。この予め定められたタイミング及び予め定められた期間は、後述するように、送信信号出力回路１２のコモンモードノイズの測定結果に基づいて予め制御回路１５に設定される。
【００２２】
図３Ａは図２の電流パルス発生回路１６の構成例を示す回路図である。図３Ａにおいて、電流源トランジスタ２１ａはＰＭＯＳトランジスタで構成され、制御回路１５からのゲートバイアス電圧ＶＢＰに基づいて流す電流値が制御される。また、電流源トランジスタ２２ａはＮＭＯＳトランジスタで構成され、制御回路１５からのゲートバイアス電圧ＶＢＮに基づいて流す電流値が制御される。なお、図２の電流パルス発生回路１７は、図３Ａの電流パルス発生回路１６と同様に構成される。
【００２３】
図３Ｂは図２の電流パルス発生回路１６の第１の変形例である電流パルス発生回路１６Ａの構成例を示す回路図である。図３Ｂにおいて、第１の変形例にかかる電流パルス発生回路１６Ａは、図２の電流パルス発生回路１６と比較して、電流源トランジスタ２１ａ，２２ａを削除し、電流量をスイッチトランジスタ２３ａ，２４ａに流れる電流で制御したことを特徴としている。なお、電流パルス発生回路１７の第１の変形例は、図３Ｂの電流パルス発生回路１６Ａと同様に構成される。
【００２４】
図３Ｃは図２の電流パルス発生回路１６の第２の変形例である電流パルス発生回路１６Ｂの構成例を示す回路図である。図３Ｃにおいて、第２の変形例にかかる電流パルス発生回路１６Ｂは、図３Ａの電流パルス発生回路１６と比較して、電流源トランジスタ２１ａとスイッチトランジスタ２３ａとの挿入位置を交互に入れ換え、電流源トランジスタ２２ａとスイッチトランジスタ２４ａとの挿入位置を交互に入れ換えたことを特徴としている。なお、電流パルス発生回路１７の第２の変形例は、図３Ｃの電流パルス発生回路１６Ｂと同様に構成される。
【００２５】
図４は図１及び図２の制御回路１５の構成を示すブロック図である。図４において、制御回路１５は、テーブルメモリ１８を有し、制御パルス発生回路４１，４２，４３，４４の動作を制御するコントロールデータ信号ＣＮＴＰＹ０，ＣＮＴＰＹ１，ＣＮＴＮＹ０，ＣＮＴＮＹ１を発生するコントローラ４０と、４個の制御パルス発生回路４１、４２，４３，４４と、２個のインバータ４５，４６とを備えて構成される。ここで、制御パルス発生回路４１は、外部回路からの例えばビデオ信号であるデータ信号ＳｉｇＰＹ０、そのイネーブル信号ＥＮＰＹ０、及びコントロールデータ信号ＣＮＴＰＹ０に基づいてスイッチ制御信号ＰＹ０を発生してインバータ４５を介して図２の電流パルス発生回路１７のスイッチトランジスタ２３ｂに出力する。また、制御パルス発生回路４２は、外部回路からの例えばビデオ信号であるデータ信号ＳｉｇＰＹ１、そのイネーブル信号ＥＮＰＹ１、及びコントロールデータ信号ＣＮＴＰＹ１に基づいてスイッチ制御信号ＰＹ１を発生してインバータ４６を介して図２の電流パルス発生回路１６のスイッチトランジスタ２３ａに出力する。さらに、制御パルス発生回路４３は、外部回路からの例えばビデオ信号であるデータ信号ＳｉｇＮＹ０、そのイネーブル信号ＥＮＮＹ０、及びコントロールデータ信号ＣＮＴＮＹ０に基づいてスイッチ制御信号ＮＹ０を発生して図２の電流パルス発生回路１７のスイッチトランジスタ２４ｂに出力する。またさらに、制御パルス発生回路４４は、外部回路からの例えばビデオ信号であるデータ信号ＳｉｇＮＹ１、そのイネーブル信号ＥＮＮＹ１、及びコントロールデータ信号ＣＮＴＮＹ１に基づいてスイッチ制御信号ＮＹ１を発生して図２の電流パルス発生回路１６のスイッチトランジスタ２４ａに出力する。
【００２６】
図５Ａは図４の制御パルス発生回路４１，４２，４３，４４の構成を示すブロック図である。図５Ａにおいて、各制御パルス発生回路４１〜４４は２個のアンドゲート４７，４９と、可変遅延回路４８とを備えて構成される。ここで、制御パルス発生回路４１，４２，４３，４４は同一の構成を有する。アンドゲート４７は端子ＥＮに入力されるイネーブル信号がアクティブなときに端子Ｓｉｇに入力されるデータ信号を通過させる。可変遅延回路４８はアンドゲート４７からのデータ信号をそのまま信号ｎａとしてアンドゲート４９に出力するとともに、当該データ信号を、端子ＣＮＴに入力されるコントロールデータ信号に基づく所定の遅延時間Ｔｄ（図５Ｂ参照）だけ遅延させてかつ反転させて信号ｎｂとしてアンドゲート４９に出力する。アンドゲート４９は入力される２つの信号ｎａ，ｎｂの論理積をとってその結果の信号を端子ＰＯから出力する。
【００２７】
図５Ｂは図５Ａの制御パルス発生回路４１，４２，４３，４４の動作例を示すタイミングチャートである。図５Ｂにおいて、端子ｅｎに入力されるイネーブル信号が“１”（Ｈレベル）の場合、端子Ｓｉｇに入力されたデータ信号が信号ｎａとして出力される。信号ｎａは可変遅延回路４８を通過して、端子ＣＮＴに入力されるコントロールデータ信号に基づく所定の遅延時間Ｔｄ（図５Ｂ参照）だけ遅延させてかつ反転させて出力される。そして、アンドゲート４９により信号ｎａと信号ｎｂの論理積を求めた結果、端子ＰＯには端子Ｓｉｇに入力されたデータ信号の立ち上がりエッジから所定の時間ｔｄの幅を持つパルス信号が出力される。端子ｅｎに入力されるイネーブル信号が“０”（Ｌレベル）の場合は信号ｎａが“０”（Ｌレベル）に固定されるためパルスは発生されない。
【００２８】
図６は図５Ａの可変遅延回路４８の構成を示す回路図である。図６において、可変遅延回路４８は、端子ｓｉに入力されるデータ信号を入力して遅延させる縦続接続された複数Ｎ個のバッファ５１−１〜５１−Ｎからなるバッファ回路５０と、端子ｃｎｔに入力されるコントロールデータ信号に基づいて、バッファ５１−１〜５１−Ｎの各出力端子から出力されるデータ信号のうちいずれかを選択してインバータ５３を介して端子ｓｏから出力するセレクタ回路５２とを備えて構成される。
【００２９】
以上のように構成された可変遅延回路４８において、端子ｓｉから入力されたデータ信号は縦続接続された各バッファ５１−１〜５１−Ｎを通過するごとにバッファ１段あたりの遅延時間だけ遅延してゆく。セレクタ回路５２は各バッファ５１−１〜５１−Ｎの各出力端子が接続され、端子ｃｎｔに入力されるコントロールデータ信号により出力する段数を選択することにより遅延時間を可変に制御できる。セレクタ回路５２で選択された信号はインバータ５３で反転され出力される。前記構成により、制御パルス発生回路４１〜４４の端子ｅｎに入力される信号が“１”（Ｈレベル）の状態において端子Ｓｉｇに入力されたデータ信号の立ち上がりエッジから、端子ｃｎｔに入力されたコントロールデータ信号で選択された遅延時間ｔｄの幅を持つパルスを発生できる。また、端子Ｓｉｇに入力される信号の遷移のタイミングを調整することで、パルス発生のタイミングを調整することができる。
【００３０】
次いで、図２を参照してコモンモードノイズ抑制回路１１の動作について以下に説明する。
【００３１】
例えば、電流源トランジスタ３１から流れ出した電流がスイッチトランジスタ３５、終端抵抗３７、スイッチトランジスタ３４及び電流源トランジスタ３２の経路を流れている状態から、電流源トランジスタ３１、スイッチトランジスタ３３、終端抵抗３７、スイッチトランジスタ３６及び電流源トランジスタ３２経路に切り替わるときを考える。ここで、スイッチトランジスタ３３〜３６のすべてが同時に切り替わるのが理想だが、実際には設計や製造のばらつきによりスイッチトランジスタの特性やスイッチトランジスタの制御信号のタイミングにばらつきが生じる。
【００３２】
例えば、スイッチトランジスタ３４が他のスイッチトランジスタ３３，３５、３６の切り替えよりも早いタイミングでオン状態からオフ状態に切り替わる場合を想定すると、スイッチトランジスタ３４がオンからオフに切り替わるため、スイッチトランジスタ３４のインピーダンスが増加し、信号Ｙ０の電圧が上昇する。電流源トランジスタ３１及び３２により流れる電流は一定に保たれるため、終端抵抗３７に流れる電流も変化しない。そのため信号Ｙ１の電圧も信号Ｙ０と同一の電圧変化量だけ上昇する。このため、信号Ｙ０及び信号Ｙ１の電圧がともに上昇することになり、コモンモードノイズとなる。このコモンモードノイズを抑制するためには信号Ｙ０の電圧上昇を緩和してやればよい。具体的には、スイッチトランジスタ３４が早くオフする期間だけ、電流パルス発生回路１７のスイッチトランジスタ２４ｂをオンして、瞬時的なインピーダンスの増加による電圧上昇を電流パルス発生回路１７に逃がすことにより信号Ｙ０の電圧上昇を緩和する。さらに、同様にして、スイッチトランジスタ３３〜３６の切り替えにより信号Ｙ０及びＹ１に発生するコモンモードノイズ成分を、電流パルス発生回路１６及び１７によりノイズ成分を緩和する方向に電流を印加あるは引き込むことにより抑制する。以上の動作例は後述する図７のケースＳ３に対応する。
【００３３】
さらに、図７及び図８Ａ〜図８Ｄを参照して、コモンモードノイズ抑制回路１１の詳細動作について以下に説明する。
【００３４】
図７は図１のテーブルメモリ１８に格納されるスイッチ制御テーブルを示す図である。また、図８Ａは図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＰＹ０、イネーブル信号ＥＮＰＹ０、コントロールデータ信号ＣＮＴＰＹ０、及びスイッチ制御信号ＰＹ０のタイミングチャートである。また、図８Ｂは図１及び図２の差動信号送信装置１の動作例を示すタイミングチャートであって、スイッチ駆動制御信号ＰＲ，ＮＲ、スイッチ駆動制御信号ＰＬ，ＮＬ、データ信号ＳｉｇＰＹ１、イネーブル信号ＥＮＰＹ１、コントロールデータ信号ＣＮＴＰＹ１、及びスイッチ制御信号ＰＹ１のタイミングチャートである。さらに、図８Ｃは図１及び図２の差動信号送信装置１の動作例を示すタイミングチャートであって、スイッチ駆動制御信号ＰＲ，ＮＲ、スイッチ駆動制御信号ＰＬ，ＮＬ、信号ＳｉｇＮＹ０、イネーブル信号ＥＮＮＹ０、コントロールデータ信号ＣＮＴＮＹ０、及びスイッチ制御信号ＮＹ０のタイミングチャートである。またさらに、図８Ｄは図１及び図２の差動信号送信装置１の動作例を示すタイミングチャートであって、スイッチ駆動制御信号ＰＲ，ＮＲ、スイッチ駆動制御信号ＰＬ，ＮＬ、信号ＳｉｇＮＹ１、イネーブル信号ＥＮＮＹ１、コントロールデータ信号ＣＮＴＮＹ１、及びスイッチ制御信号ＮＹ１のタイミングチャートである。ここで、スイッチ駆動制御信号ＰＲ，ＮＲ及びスイッチ駆動制御信号ＰＬ，ＮＬは差動信号送信装置１の駆動制御クロックに同期して発生される。
【００３５】
まず、図７を参照してコモンモードノイズ抑制回路１１の電流パルス発生回路１６，１７を制御する複数のケースＳ１〜Ｓ１４について以下に説明する。
【００３６】
＜ケースＳ１＞
ケースＳ１は送信信号出力回路１２のスイッチトランジスタ３３が他のスイッチトランジスタ３４，３５及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００３７】
信号Ｙ０がＬレベルからＨレベルに遷移する場合は、スイッチトランジスタ３３，３４，３５がオン状態、スイッチトランジスタ３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３３がオンになるタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３４〜３６の遷移タイミングに対応する期間に設定される。これにより、前記電流変動を打ち消す所定期間のパルスが所定のタイミングで発生する。なお、「同期」とは、同期元の信号の遷移をきっかけに同期先の信号が遷移することを意味し、遷移タイミングが完全に一致する場合に限らず、遷移タイミングのずれがある場合も含む。
【００３８】
また、信号Ｙ０がＨレベルからＬレベルに遷移する場合は、スイッチトランジスタ３３，３４，３５がオフ状態、スイッチトランジスタ３６がオン状態になる期間が生じ、これによりコモンモードノイズを発生させる電流変動が生じる。制御回路１５は、この電流変動を打ち消す制御を行う。例えば、制御回路１５は、スイッチトランジスタ３３がオフになるタイミングと同期して電流パルス発生回路１７のスイッチトランジスタ２３ｂがオンになるように制御する。また、電流パルス発生回路１７のスイッチトランジスタ２３ｂがオン状態である期間は、例えば、スイッチトランジスタ３４〜３６の遷移タイミングに対応する期間に設定される。これにより、前記電流変動を打ち消す所定期間のパルスが所定のタイミングで発生する。
【００３９】
＜ケースＳ２＞
ケースＳ２は送信信号出力回路１２のスイッチトランジスタ３３が他のスイッチトランジスタ３４，３５及び３６よりも遅く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００４０】
信号Ｙ０がＬレベルからＨレベルに遷移する場合は、スイッチトランジスタ３３，３４，３５がオフ状態、スイッチトランジスタ３６がオン状態になる期間が生じ、これによりコモンモードノイズを発生させる電流変動が生じる。制御回路１５は、この電流変動を打ち消す制御を行う。例えば、制御回路１５は、スイッチトランジスタ３４〜３６の遷移タイミングと同期して電流パルス発生回路１７のスイッチトランジスタ２３ｂがオンになるように制御する。また、電流パルス発生回路１７のスイッチトランジスタ２３ｂがオン状態である期間は、例えば、スイッチトランジスタ３３の遷移タイミングに対応する期間に設定される。これにより、前記電流変動を打ち消す所定期間のパルスが所定のタイミングで発生する。
【００４１】
また、信号Ｙ０がＨレベルからＬレベルに遷移する場合は、スイッチトランジスタ３３，３４，３５がオン状態、スイッチトランジスタ３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３４〜３５の遷移タイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３３の遷移タイミングに対応する期間に設定される。これにより、前記電流変動を打ち消す所定期間のパルスが所定のタイミングで発生する。
【００４２】
＜ケースＳ３＞
ケースＳ３は送信信号出力回路１２のスイッチトランジスタ３４が他のスイッチトランジスタ３３，３５及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００４３】
信号Ｙ０がＬレベルからＨレベルに遷移する場合は、スイッチトランジスタ３３，３４，３６がオフ状態、スイッチトランジスタ３５がオン状態になる期間が生じ、これによりコモンモードノイズを発生させる電流変動が生じる。制御回路１５は、この電流変動を打ち消す制御を行う。例えば、制御回路１５は、スイッチトランジスタ３４がオフになるタイミングと同期して電流パルス発生回路１７のスイッチトランジスタ２４ｂがオンになるように制御する。また、電流パルス発生回路１７のスイッチトランジスタ２４ｂがオン状態である期間は、例えば、スイッチトランジスタ３３、３５、３６の遷移タイミングに対応する期間に設定される。これにより、前記電流変動を打ち消す所定期間のパルスが所定のタイミングで発生する。
【００４４】
また、信号Ｙ０がＨレベルからＬレベルに遷移する場合は、スイッチトランジスタ３３，３４，３６がオン状態、スイッチトランジスタ３５がオフ状態になる期間が生じ、これによりコモンモードノイズを発生させる電流変動が生じる。制御回路１５は、この電流変動を打ち消す制御を行う。例えば、制御回路１５は、スイッチトランジスタ３４がオンになるタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３３、３５、３６の遷移タイミングに対応する期間に設定される。これにより、前記電流変動を打ち消す所定期間のパルスが所定のタイミングで発生する。
【００４５】
＜ケースＳ４＞
ケースＳ４は送信信号出力回路１２のスイッチトランジスタ３４が他のスイッチトランジスタ３３，３５及び３６よりも遅く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００４６】
信号Ｙ０がＬレベルからＨレベルに遷移する場合は、スイッチトランジスタ３３，３４，３６がオン状態、スイッチトランジスタ３５がオフ状態になる期間が生じ、これによりコモンモードノイズを発生させる電流変動が生じる。制御回路１５は、この電流変動を打ち消す制御を行う。例えば、制御回路１５は、スイッチトランジスタ３３、３５、３６の遷移タイミングと同期して電流パルス発生回路１６のスイッチトランジスタ２４ａ及び電流パルス発生回路１７のスイッチトランジスタ２３ｂがオンになるように制御する。また、電流パルス発生回路１６のスイッチトランジスタ２４ａ及び電流パルス発生回路１７のスイッチトランジスタ２３ｂがオン状態である期間は、例えば、スイッチトランジスタ３４の遷移タイミングに対応する期間に設定される。これにより、前記電流変動を打ち消す所定期間のパルスが所定のタイミングで発生する。
【００４７】
また、信号Ｙ０がＨレベルからＬレベルに遷移する場合は、スイッチトランジスタ３３，３４，３６がオフ状態、スイッチトランジスタ３５がオン状態になる期間が生じ、これによりコモンモードノイズを発生させる電流変動が生じる。制御回路１５は、この電流変動を打ち消す制御を行う。例えば、制御回路１５は、スイッチトランジスタ３３、３５，３６の遷移タイミングと同期して電流パルス発生回路１７のスイッチトランジスタ２４ｂがオンになるように制御する。また、電流パルス発生回路１７のスイッチトランジスタ２４ｂがオン状態である期間は、例えば、スイッチトランジスタ３４の遷移タイミングに対応する期間に設定される。これにより、前記電流変動を打ち消す所定期間のパルスが所定のタイミングで発生する。
【００４８】
＜ケースＳ５＞
ケースＳ５は送信信号出力回路１２のスイッチトランジスタ３５が他のスイッチトランジスタ３３，３４及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００４９】
信号Ｙ０がＬレベルからＨレベルに遷移する場合は、スイッチトランジスタ３３，３５，３６がオフ状態、スイッチトランジスタ３４がオン状態になる期間が生じ、これによりコモンモードノイズを発生させる電流変動が生じる。制御回路１５は、この電流変動を打ち消す制御を行う。例えば、制御回路１５は、スイッチトランジスタ３５がオフになるタイミングと同期して電流パルス発生回路１６のスイッチトランジスタ２３ａがオンになるように制御する。また、電流パルス発生回路１６のスイッチトランジスタ２３ａがオン状態である期間は、例えば、スイッチトランジスタ３３，３４，３６の遷移タイミングに対応する期間に設定される。これにより、前記電流変動を打ち消す所定期間のパルスが所定のタイミングで発生する。
【００５０】
また、信号Ｙ０がＨレベルからＬレベルに遷移する場合は、スイッチトランジスタ３３，３５，３６がオン状態、スイッチトランジスタ３４がオフ状態になる期間が生じ、これによりコモンモードノイズを発生させる電流変動が生じる。制御回路１５は、この電流変動を打ち消す制御を行う。例えば、制御回路１５は、スイッチトランジスタ３５がオンになるタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３３，３４，３６の遷移タイミングに対応する期間に設定される。これにより、前記電流変動を打ち消す所定期間のパルスが所定のタイミングで発生する。
【００５１】
＜ケースＳ６＞
ケースＳ６は送信信号出力回路１２のスイッチトランジスタ３５が他のスイッチトランジスタ３３，３４及び３６よりも遅く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００５２】
信号Ｙ０がＬレベルからＨレベルに遷移する場合は、スイッチトランジスタ３３，３５，３６がオン状態、スイッチトランジスタ３４がオフ状態になる期間が生じ、これによりコモンモードノイズを発生させる電流変動が生じる。制御回路１５は、この電流変動を打ち消す制御を行う。例えば、制御回路１５は、スイッチトランジスタ３３，３４、３６の遷移タイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３５の遷移タイミングに対応する期間に設定される。これにより、前記電流変動を打ち消す所定期間のパルスが所定のタイミングで発生する。
【００５３】
また、信号Ｙ０がＨレベルからＬレベルに遷移する場合は、スイッチトランジスタ３３，３５，３６がオフ状態、スイッチトランジスタ３４がオン状態になる期間が生じ、これによりコモンモードノイズを発生させる電流変動が生じる。制御回路１５は、この電流変動を打ち消す制御を行う。例えば、制御回路１５は、スイッチトランジスタ３３、３４，３６の遷移タイミングと同期して電流パルス発生回路１６のスイッチトランジスタ２３ａがオンになるように制御する。また、電流パルス発生回路１６のスイッチトランジスタ２３ａがオン状態である期間は、例えば、スイッチトランジスタ３５の遷移タイミングに対応する期間に設定される。これにより、前記電流変動を打ち消す所定期間のパルスが所定のタイミングで発生する。
【００５４】
＜ケースＳ７＞
ケースＳ７は送信信号出力回路１２のスイッチトランジスタ３６が他のスイッチトランジスタ３３，３４及び３５よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００５５】
信号Ｙ０がＬレベルからＨレベルに遷移する場合は、スイッチトランジスタ３４，３５，３６がオン状態、スイッチトランジスタ３３がオフ状態になる期間が生じ、これによりコモンモードノイズを発生させる電流変動が生じる。制御回路１５は、この電流変動を打ち消す制御を行う。例えば、制御回路１５は、スイッチトランジスタ３６がオンになるタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３３〜３５の遷移タイミングに対応する期間に設定される。これにより、前記電流変動を打ち消す所定期間のパルスが所定のタイミングで発生する。
【００５６】
また、信号Ｙ０がＨレベルからＬレベルに遷移する場合は、スイッチトランジスタ３４，３５，３６がオフ状態、スイッチトランジスタ３３がオン状態になる期間が生じ、これによりコモンモードノイズを発生させる電流変動が生じる。制御回路１５は、この電流変動を打ち消す制御を行う。例えば、制御回路１５は、スイッチトランジスタ３６がオフになるタイミングと同期して電流パルス発生回路１６のスイッチトランジスタ２４ａがオンになるように制御する。また、電流パルス発生回路１６のスイッチトランジスタ２４ａがオン状態である期間は、例えば、スイッチトランジスタ３３〜３５の遷移タイミングに対応する期間に設定される。これにより、前記電流変動を打ち消す所定期間のパルスが所定のタイミングで発生する。
【００５７】
＜ケースＳ８＞
ケースＳ８は送信信号出力回路１２のスイッチトランジスタ３６が他のスイッチトランジスタ３３，３４及び３５よりも遅く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００５８】
信号Ｙ０がＬレベルからＨレベルに遷移する場合は、スイッチトランジスタ３４，３５，３６がオフ状態、スイッチトランジスタ３３がオン状態になる期間が生じ、これによりコモンモードノイズを発生させる電流変動が生じる。制御回路１５は、この電流変動を打ち消す制御を行う。例えば、制御回路１５は、スイッチトランジスタ３３，３４、３５の遷移タイミングと同期して電流パルス発生回路１６のスイッチトランジスタ２４ａがオンになるように制御する。また、電流パルス発生回路１６のスイッチトランジスタ２４ａがオン状態である期間は、例えば、スイッチトランジスタ３６の遷移タイミングに対応する期間に設定される。これにより、前記電流変動を打ち消す所定期間のパルスが所定のタイミングで発生する。
【００５９】
また、信号Ｙ０がＨレベルからＬレベルに遷移する場合は、スイッチトランジスタ３４，３５，３６がオン状態、スイッチトランジスタ３３がオフ状態になる期間が生じ、これによりコモンモードノイズを発生させる電流変動が生じる。制御回路１５は、この電流変動を打ち消す制御を行う。例えば、制御回路１５は、スイッチトランジスタ３３，３４，３５の遷移タイミングと同期して電流パルス発生回路１７のスイッチトランジスタ２４ｂ及び電流パルス発生回路１６のスイッチトランジスタ２３ａがオンになるように制御する。また、電流パルス発生回路１７のスイッチトランジスタ２４ｂ及び電流パルス発生回路１６のスイッチトランジスタ２３ａがオン状態である期間は、例えば、スイッチトランジスタ３６の遷移タイミングに対応する期間に設定される。これにより、前記電流変動を打ち消す所定期間のパルスが所定のタイミングで発生する。
【００６０】
＜ケースＳ９＞
ケースＳ９は送信信号出力回路１２のスイッチトランジスタ３３及び３４が他のスイッチトランジスタ３５及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００６１】
信号Ｙ０がＬレベルからＨレベルに遷移する場合は、スイッチトランジスタ３３，３５がオン状態、スイッチトランジスタ３４、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３３及び３４が遷移するタイミングと同期して電流パルス発生回路１７のスイッチトランジスタ２４ｂがオンになるように制御する。また、電流パルス発生回路１７のスイッチトランジスタ２４ｂがオン状態である期間は、例えば、スイッチトランジスタ３５，３６の遷移タイミングに対応する期間に設定される。これにより、前記電流変動を打ち消す所定期間のパルスが所定のタイミングで発生する。
【００６２】
また、信号Ｙ０がＨレベルからＬレベルに遷移する場合は、スイッチトランジスタ３３，３５がオフ状態、スイッチトランジスタ３４、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３３及び３４が遷移するタイミングと同期して電流パルス発生回路１７のスイッチトランジスタ２３ｂがオンになるように制御する。また、電流パルス発生回路１７のスイッチトランジスタ２３ｂがオン状態である期間は、例えば、スイッチトランジスタ３５，３６の遷移タイミングに対応する期間に設定される。これにより、前記電流変動を打ち消す所定期間のパルスが所定のタイミングで発生する。
【００６３】
＜ケースＳ１０＞
ケースＳ１０は送信信号出力回路１２のスイッチトランジスタ３３及び３５が他のスイッチトランジスタ３４及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００６４】
信号Ｙ０がＬレベルからＨレベルに遷移する場合は、スイッチトランジスタ３３，３４がオン状態、スイッチトランジスタ３５、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３３及び３５が遷移するタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３４、３６の遷移タイミングに対応する期間に設定される。これにより、前記電流変動を打ち消す所定期間のパルスが所定のタイミングで発生する。
【００６５】
また、信号Ｙ０がＨレベルからＬレベルに遷移する場合は、スイッチトランジスタ３３，３４がオフ状態、スイッチトランジスタ３５、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３３及び３５が遷移するタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３４、３６の遷移タイミングに対応する期間に設定される。これにより、前記電流変動を打ち消す所定期間のパルスが所定のタイミングで発生する。
【００６６】
＜ケースＳ１１＞
ケースＳ１１は送信信号出力回路１２のスイッチトランジスタ３３及び３６が他のスイッチトランジスタ３４及び３５よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００６７】
信号Ｙ０がＬレベルからＨレベルに遷移する場合は、すべてのスイッチトランジスタ３３，３４，３５、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３３及び３６が遷移するタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３４、３５の遷移タイミングに対応する期間に設定される。これにより、前記電流変動を打ち消す所定期間のパルスが所定のタイミングで発生する。
【００６８】
また、信号Ｙ０がＨレベルからＬレベルに遷移する場合は、すべてのスイッチトランジスタ３３，３４，３５、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３３及び３６が遷移するタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３４、３５の遷移タイミングに対応する期間に設定される。これにより、前記電流変動を打ち消す所定期間のパルスが所定のタイミングで発生する。
【００６９】
＜ケースＳ１２＞
ケースＳ１２は送信信号出力回路１２のスイッチトランジスタ３４及び３５が他のスイッチトランジスタ３３及び３６よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００７０】
信号Ｙ０がＬレベルからＨレベルに遷移する場合は、すべてのスイッチトランジスタ３３，３４，３５、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３４及び３５がオンになるタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３３、３６の遷移タイミングに対応する期間に設定される。これにより、前記電流変動を打ち消す所定期間のパルスが所定のタイミングで発生する。
【００７１】
また、信号Ｙ０がＨレベルからＬレベルに遷移する場合は、すべてのスイッチトランジスタ３３，３４，３５、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３４及び３５が遷移するタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３３、３６の遷移タイミングに対応する期間に設定される。これにより、前記電流変動を打ち消す所定期間のパルスが所定のタイミングで発生する。
【００７２】
＜ケースＳ１３＞
ケースＳ１３は送信信号出力回路１２のスイッチトランジスタ３４及び３６が他のスイッチトランジスタ３３及び３５よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００７３】
信号Ｙ０がＬレベルからＨレベルに遷移する場合は、スイッチトランジスタ３３，３４がオフ状態、スイッチトランジスタ３５、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３４及び３６が遷移するタイミングと同期して電流パルス発生回路１６のスイッチトランジスタ２３ａ及び電流パルス発生回路１７のスイッチトランジスタ２４ｂがオンになるように制御する。また、電流パルス発生回路１６のスイッチトランジスタ２３ａ及び電流パルス発生回路１７のスイッチトランジスタ２４ｂがオン状態である期間は、例えば、スイッチトランジスタ３３，３５の遷移タイミングに対応する期間に設定される。これにより、前記電流変動を打ち消す所定期間のパルスが所定のタイミングで発生する。
【００７４】
また、信号Ｙ０がＨレベルからＬレベルに遷移する場合は、スイッチトランジスタ３３，３４がオン状態、スイッチトランジスタ３５、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３４及び３６が遷移するタイミングと同期して電流パルス発生回路１７のスイッチトランジスタ２３ｂ及び電流パルス発生回路１６のスイッチトランジスタ２４ａがオンになるように制御する。また、電流パルス発生回路１７のスイッチトランジスタ２３ｂ及び電流パルス発生回路１６のスイッチトランジスタ２４ａがオン状態である期間は、例えば、スイッチトランジスタ３３，３５の遷移タイミングに対応する期間に設定される。これにより、前記電流変動を打ち消す所定期間のパルスが所定のタイミングで発生する。
【００７５】
＜ケースＳ１４＞
ケースＳ１４は送信信号出力回路１２のスイッチトランジスタ３５及び３６が他のスイッチトランジスタ３３及び３４よりも早く遷移する状態を表す。コモンモードノイズ抑制回路１１の制御回路１５は信号Ｙ０の遷移方向に応じて、スイッチトランジスタ２３ａ，２４ａ，２３ｂ及び２４ｂを制御する。
【００７６】
信号Ｙ０がＬレベルからＨレベルに遷移する場合は、スイッチトランジスタ３３，３５がオフ状態、スイッチトランジスタ３４、３６がオン状態になる期間が生じ、これによりコモンモードノイズを発生させる電流変動が生じる。制御回路１５は、この電流変動を打ち消す制御を行う。例えば、制御回路１５は、スイッチトランジスタ３５及び３６が遷移するタイミングと同期して電流パルス発生回路１６のスイッチトランジスタ２３ａがオンになるように制御する。また、電流パルス発生回路１６のスイッチトランジスタ２３ａがオン状態である期間は、例えば、スイッチトランジスタ３３，３４の遷移タイミングに対応する期間に設定される。これにより、前記電流変動を打ち消す所定期間のパルスが所定のタイミングで発生する。
【００７７】
また、信号Ｙ０がＨレベルからＬレベルに遷移する場合は、スイッチトランジスタ３３，３５がオン状態、スイッチトランジスタ３４、３６がオフ状態になる期間が生じ、これによりコモンモードノイズを発生させる電流変動が生じる。制御回路１５は、この電流変動を打ち消す制御を行う。例えば、制御回路１５は、スイッチトランジスタ３５及び３６が遷移するタイミングと同期して電流パルス発生回路１６のスイッチトランジスタ２４ａがオンになるように制御する。また、電流パルス発生回路１６のスイッチトランジスタ２４ａがオン状態である期間は、例えば、スイッチトランジスタ３３，３４の遷移タイミングに対応する期間に設定される。これにより、前記電流変動を打ち消す所定期間のパルスが所定のタイミングで発生する。
【００７８】
以上図７のスイッチ制御テーブルを参照して説明したように、各スイッチトランジスタ３３〜３６が遷移するタイミングに基づいて制御回路１５が、コモンモードノイズによる電流変動を打ち消すように、各スイッチトランジスタ２３ａ、２４ａ、２３ｂ及び２４ｂを制御する動作例を説明した。実際には、各スイッチトランジスタ３３〜３６がスイッチングした瞬間に、過渡的に逆方向にノイズが出てその後メインのノイズが発生するような場合も起こり得る。よって、各スイッチトランジスタ２３ａ、２４ａ、２３ｂ及び２４ｂが遷移するタイミングは各スイッチトランジスタ３３〜３６が遷移するタイミングと完全に一致させるとは限らず、後述する測定に基づいて、コモンモードノイズが最小になるようにパルスのタイミング及び幅が調整される。
【００７９】
さらに、図８Ａ〜図８Ｄを参照して、コモンモードノイズ抑制回路１１の動作例について以下に説明する。なお、図８Ａ〜図８Ｄにおいて、コントロールデータ信号ＣＮＴＰＹ０，ＣＮＴＰＹ１，ＣＮＴＮＹ０，ＣＮＴＮＹ１はセレクタ回路５２に対して遅延時間に対応するバッファ５１−１〜５１−Ｎのうちの１つを選択するための選択信号であり、例えば４ビットパラレルのデータ信号である。
【００８０】
図８Ａにおいて、データ信号ＳｉｇＰＹ０は、スイッチトランジスタ２３ｂを前記所定のタイミングでオンにするようにＬレベルからＨレベルに遷移する。その後、発生するパルスの幅以上の期間の経過後、次のクロックタイミングまでにＬレベルに戻る。イネーブル信号ＥＮＰＹ０は、データ信号ＳｉｇＰＹ０がＬレベルからＨレベルに遷移する前にＨレベルとなる。コントロールデータ信号ＣＮＴＰＹ０は、スイッチトランジスタ２３ｂを前記所定期間オン状態にするようにセレクタ回路５２を制御する。
【００８１】
図８Ｂにおいて、データ信号ＳｉｇＰＹ１は、スイッチトランジスタ２３ａを前記所定のタイミングでオンにするようにＬレベルからＨレベルに遷移する。その後、発生するパルスの幅以上の期間の経過後、次のクロックタイミングまでにＬレベルに戻る。イネーブル信号ＥＮＰＹ１は、データ信号ＳｉｇＰＹ１がＬレベルからＨレベルに遷移する前にＨレベルとなる。コントロールデータ信号ＣＮＴＰＹ１は、スイッチトランジスタ２３ａを前記所定期間オン状態にするようにセレクタ回路５２を制御する。
【００８２】
図８Ｃにおいて、信号ＳｉｇＮＹ０は、スイッチトランジスタ２４ｂを前記所定のタイミングでオンにするようにＬレベルからＨレベルに遷移する。その後、発生するパルスの幅以上の期間の経過後、次のクロックタイミングまでにＬレベルに戻る。イネーブル信号ＥＮＮＹ０は、信号ＳｉｇＮＹ０がＬレベルからＨレベルに遷移する前にＨレベルとなる。コントロールデータ信号ＣＮＴＮＹ０は、スイッチトランジスタ２４ｂを前記所定期間オン状態にするようにセレクタ回路５２を制御する。
【００８３】
図８Ｄにおいて、信号ＳｉｇＮＹ１は、スイッチトランジスタ２４ａを前記所定のタイミングでオンにするようにＬレベルからＨレベルに遷移する。その後、発生するパルスの幅以上の期間の経過後、次のクロックタイミングまでにＬレベルに戻る。イネーブル信号ＥＮＮＹ１は、信号ＳｉｇＮＹ１がＬレベルからＨレベルに遷移する前にＨレベルとなる。コントロールデータ信号ＣＮＴＮＹ１は、スイッチトランジスタ２４ａを前記所定期間オン状態にするようにセレクタ回路５２を制御する。
【００８４】
図８Ａ〜図８Ｄから明らかなように、信号ＳｉｇＰＹ０，ＳｉｇＰＹ１，ＳｉｇＮＹ０，ＳｉｇＮＹ１はそれぞれ、送信信号出力回路１２の各スイッチトランジスタ３３，３５，３４，３６への制御信号ＰＬ，ＰＲ，ＮＬ及びＮＲと同期している。すなわち、制御回路１５は、送信信号出力回路１２の駆動クロックと同期したタイミングで制御する。ここで、送信信号出力回路１２のスイッチトランジスタ３３，３５，３４，３６の制御信号ＰＬ，ＰＲ，ＮＬ，ＮＲに同期したデータ信号ＳｉｇＰＹ０，ＳｉｇＰＹ１，ＳｉｇＮＹ０，ＳｉｇＮＹ１の立ち上がりエッジから、コントロールデータ信号ＣＮＴＰＹ０で選択されたパルス幅を持つスイッチ制御信号ＰＹ０、及びコントロールデータ信号ＣＮＴＮＹ０で選択されたパルス幅を持つスイッチ制御信号ＮＹ０を生成する。電流パルス発生回路１６，１７の制御信号であるスイッチ制御信号ＰＹ０、ＰＹ１，ＮＹ１及びＮＹ０の何れを発生させるか及びパルス幅については制御回路１５内のテーブルメモリ１８に例えば出荷前に予め格納されるが、固定して格納し、もしくは動作中において所定の周期で図１の適応化コントローラ５により適応的に制御してもよい。
【００８５】
さらに、スイッチ制御信号ＰＹ０、ＰＹ１，ＮＹ１及びＮＹ０のパルス幅と、電流パルス発生回路１６及び１７によって電流を流す場所及び向きを決定するスイッチトランジスタ２３ａ，２３ｂ，２４ａ，２４ｂの選択方法を以下に示す。例として設計段階における評価時や、製品出荷時のテストにおいて実際にコモンモードノイズを計測することにより行う方法を示す。
【００８６】
コモンモードノイズは、図１に示すように、送信信号出力回路１２からの信号Ｙ０及びＹ１の電圧を電圧検出器４により計測し、適応化コントローラ５により（（信号Ｙ０の電圧値）＋（信号Ｙ１の電圧値））／２を求めることにより計測することができる。適応化コントローラ５は、図７のスイッチ制御テーブル内の複数のケースＳ１〜Ｓ１４と、スイッチ制御信号ＰＹ０、ＰＹ１，ＮＹ１及びＮＹ０のパルスのタイミング及びパルス幅の組み合わせを変えながらコモンモードノイズを計測し、コモンモードノイズが最小になる組み合わせを探索することにより、パルス幅及び電流パルス発生回路１６及び１７によって電流を流す場所及び向きを決定する。以上の探索はいわゆる多変量探索アルゴリズムを用いることができ、当該探索方法はコモンモードノイズの最小値が求まるのであればどのような方法でもよく、総当たりであっても最急降下法などあってもよくそのアルゴリズムは問わない。また、スイッチトランジスタ２３ａ，２３ｂ，２４ａ，２４ｂの選択の組み合わせもテーブルに示した組み合わせに限らず、考えられるすべての組み合わせを用いて探索を行ってもよい。
【００８７】
以上の選択方法では、設計段階における評価時や、製品出荷時のテストにおいて実際にコモンモードノイズを計測する場合について説明しているが、図１の電圧検出器４及び適応化コントローラ５を実際の製品に組み込んで動作中において所定の周期でテーブルメモリ１８内のスイッチ制御テーブルを学習させるようにしてもよい。
【００８８】
例えば、制御回路１５は、出力端子３８，３９から送信される差動信号の信号電圧に基づいて、上記複数のケースから選択される１つのケース並びにスイッチ制御信号のタイミング及び信号幅を変えながらコモンモードノイズが最小となるケース、タイミング及び信号幅を探索して、当該探索結果を設定して電流パルス発生回路１６，１７を制御する。ここで、制御回路１５は、送信信号出力回路１２の動作時においてコモンモードノイズが最小となるケース、タイミング及び信号幅を探索して、当該探索結果に基づいて電流パルス発生回路１６，１７を適応制御してもよい。
【００８９】
以上説明したように、本実施の形態によれば、制御回路１５は送信信号出力回路１２がスイッチングするタイミングに同期したパルスを発生でき、同タイミングで発生するコモンモードノイズを緩和するための電流パルスを生成できる。
【００９０】
以上の本実施の形態において、図６の可変遅延回路４８はバッファ段数により遅延量を調整する構成としたが、本開示はこれに限らず、遅延時間を調整して出力できるものであれば別の構成でもよい。
【００９１】
また、本実施の形態において、図２の送信信号出力回路１２はＬＶＤＳ回路構成を用いて説明したが、本開示はこれに限らず、差動電流駆動方式送信回路であればその形態は問わない。
【００９２】
また、本実施の形態において、図２のコモンモードノイズ抑制回路１１は送信信号出力回路１２の出力端子３８および３９に接続されているが、本開示はこれに限らず、コモンモードノイズ抑制回路１１により電流を出し入れすることによりコモンモードノイズを緩和することができるノードであれば別のノードに接続してもよく、例えば電流源トランジスタ３１とスイッチトランジスタ３３および３５が接続されたノード、あるいは電流源トランジスタ３２とスイッチトランジスタ３４および３６が接続されたノードに接続される形態であってもよい。
【００９３】
（実施の形態２）
図９は本開示の実施の形態２にかかる車載表示機器６１，６２の使用例を示す正面図である。図９において、車載表示機器として代表的なものとして、自動車の運転を行う上で必要な情報（スピード、エンジン回転数、走行距離、燃料量など）を表示するインスツルメントパネル用途の車載表示機器６２やカーナビゲーションシステム用途の車載表示機器６１を図示している。車載表示機器６２はその一部、複数部、あるいはすべてを液晶画面や有機ＥＬ画面などのデジタル表示機器で構成されている。
【００９４】
図１０Ａは図９の車載表示機器６１，６２と半導体集積回路６３，６４との接続を示すブロック図である。車載表示機器６１に表示する表示用画像データは図１０Ａに示すように半導体集積回路６３からケーブル６５などを介して車載表示機器６１に伝送される。送信信号出力回路１２は半導体集積回路６３に搭載されており、送信信号出力回路１２で発生したコモンモードノイズはケーブル６５などから空間に放射され他の電子機器などの誤動作を引き起こす原因になる。同様に車載表示機器６２に表示する画像データは半導体集積回路６４からケーブル６６などを介して車載表示機器６２に伝送される。送信信号出力回路１２は半導体集積回路６４に搭載されており、送信信号出力回路１２で発生したコモンモードノイズはケーブル６６などから空間に放射され他の電子機器などの誤動作を引き起こす原因になる。
【００９５】
本実施の形態にかかる構成によれば、実施の形態１にかかるコモンモードノイズ抑制回路１１は半導体集積回路６３及び６４に搭載され、コモンモードノイズを抑制することにより電磁輻射ノイズを低減し、自動車の安全性を向上することができる。
【００９６】
図１０Ｂは図１０Ａの変形例であって、図９の車載表示機器６１，６２と半導体集積回路６９との接続を示すブロック図である。図１０Ｂに示すように複数の表示機器に対してひとつの半導体集積回路で画像データを伝送する方式としてもよい。例えば図１０Ｂでは車載表示機器６１はケーブル６７を介して半導体集積回路６９に、車載表示機器６２はケーブル６８を介して同じく半導体集積回路６９に接続されている。以上の変形例においても、実施の形態２と同様の作用効果を有する。
【００９７】
以上の実施の形態２においては、車載表示機器６１，６２と、差動信号送信装置を構成する半導体集積回路６３，６４と、それぞれ接続するケーブル６５，６６などを備えて車載用画像表示システムを構成しているが、本開示はこれに限らず、車載用に限らず、一般の自宅又はオフィスなどで用いる差動信号伝送システムを用いた画像表示システムに適用してもよい。
【００９８】
（実施の形態３）
図１１は本開示の実施の形態３にかかる差動信号伝送システムのための、差動信号送信装置１Ａのコモンモードノイズ抑制回路１１Ａ及び送信信号出力回路１２Ａの構成を示す回路図である。図１１の送信信号出力回路１２Ａは、図２の送信信号出力回路１２に比較して以下の点が異なる。
【００９９】
（１）制御信号ＰＬの入力端子とスイッチトランジスタ３３のゲートとの間に、制御回路１５Ａからの遅延時間を指示するコントロールデータ信号ＣＤＰＬに基づいて当該遅延時間だけ制御信号ＰＬを遅延させる可変遅延回路７２を挿入したこと。
【０１００】
（２）制御信号ＰＲの入力端子とスイッチトランジスタ３５のゲートとの間に、制御回路１５Ａからの遅延時間を指示するコントロールデータ信号ＣＤＰＲに基づいて当該遅延時間だけ制御信号ＰＲを遅延させる可変遅延回路７４を挿入したこと。
【０１０１】
（３）制御信号ＮＬの入力端子とスイッチトランジスタ３６のゲートとの間に、制御回路１５Ａからの遅延時間を指示するコントロールデータ信号ＣＤＮＬに基づいて当該遅延時間だけ制御信号ＮＬを遅延させる可変遅延回路７５を挿入したこと。
【０１０２】
（４）制御信号ＮＲの入力端子とスイッチトランジスタ３４のゲートとの間に、制御回路１５Ａからの遅延時間を指示するコントロールデータ信号ＣＤＮＲに基づいて当該遅延時間だけ制御信号ＮＲを遅延させる可変遅延回路７３を挿入したこと。
【０１０３】
以上のように構成された実施の形態３によれば、可変遅延回路７２の遅延時間はコントロールデータ信号ＣＤＰＬで調整され、可変遅延回路７３の遅延時間はコントロールデータ信号ＣＤＮＲで調整され、可変遅延回路７４の遅延時間はコントロールデータ信号ＣＤＰＲで調整され、可変遅延回路７５の遅延時間はコントロールデータ信号ＣＤＮＬで調整される。
【０１０４】
この構成によりスイッチトランジスタ３３〜３６の切り替えタイミングを制御するための制御信号ＰＬ，ＰＲ，ＮＬ，ＮＲのタイミングを個別に調整することが可能となる。
【０１０５】
図１２は図１１の制御回路１５Ａの構成を示すブロック図である。図１２の制御回路１５Ａは、図４の制御回路１５と比較して、以下の点が異なる。
【０１０６】
（１）制御パルス発生回路４１の前段に、信号ＳｉｇＰＹ０を遅延させる可変遅延回路８１が追加挿入されたこと。
【０１０７】
（２）制御パルス発生回路４２の前段に、信号ＳｉｇＰＹ１を遅延させる可変遅延回路８２が追加挿入されたこと。
【０１０８】
（３）制御パルス発生回路４３の前段に、信号ＳｉｇＮＹ０を遅延させる可変遅延回路８３が追加挿入されたこと。
【０１０９】
（４）制御パルス発生回路４４の前段に、信号ＳｉｇＮＹ１を遅延させる可変遅延回路８４が追加挿入されたこと。
【０１１０】
ここで、可変遅延回路８１の遅延時間はコントローラ４０からのコントロールデータ信号ＣＤＰＹ０により調整され、可変遅延回路８２の遅延時間はコントローラ４０からのコントロールデータ信号ＣＤＰＹ１により調整され、可変遅延回路８３の遅延時間はコントローラ４０からのコントロールデータ信号ＣＤＮＹ０により調整され、可変遅延回路８４の遅延時間はコントローラ４０からのコントロールデータ信号ＣＤＮＹ１により調整される。これにより、スイッチ制御信号ＰＹ０，ＰＹ１，ＮＹ０，ＮＹ１の発生タイミングを個別に調整できる。
【０１１１】
図１３は図１１及び図１２の可変遅延回路７２，７３，７４，７５，８１，８２，８３，８４の構成を示すブロック図である。図１３において、各可変遅延回路７２，７３，７４，７５，８１，８２，８３，８４は、図６の可変遅延回路４８と比較してインバータ５３を削除したことを特徴としている。
【０１１２】
以上のように構成された、本実施の形態にかかるコモンモードノイズ抑制回路１１によれば、スイッチトランジスタ３３〜３６のスイッチングタイミングと、スイッチングノイズを抑制する電流パルスを生成するスイッチ制御信号ＰＹ０，ＰＹ１，ＮＹ０，ＮＹ１の発生タイミングを個別に調整することが可能となり、より細かくコモンモードノイズを抑制する設定が可能となる。
【０１１３】
以上説明したように、以上の実施の形態によれば、既存の差動信号送信装置の設計を大きく変更することなく、コモンモードノイズを抑制するコモンモードノイズ抑制回路１１を提供することができる。また、電磁輻射ノイズを低減することで、車載電子機器に必要とされる安全性を確保した画像表示機器を提供することができる。
【０１１４】
本実施の形態によれば、高速動作を阻害することなく、かつ、既存の差動送信装置の設計を変更することなく機能を追加することで実現するコモンモードノイズ抑制回路を提供し、電磁輻射ノイズを低減することで、車載電子機器に必要とされる安全性を確保した画像表示機器を提供することができる。
【０１１５】
（実施の形態のまとめ）
本開示の第１の態様にかかるコモンモードノイズ抑制回路は、第１及び第２の出力端子を備え、差動信号を前記第１及び第２の出力端子から送信する送信信号出力回路のためのコモンモードノイズ抑制回路であって、前記第１の出力端子に電流を挿入し又は電流を引き抜くための電流を発生する第１の発生回路と、前記第２の出力端子に電流を挿入し又は電流を引き抜くための電流を発生する第２の発生回路と、前記送信信号出力回路の駆動制御クロックに同期して、前記送信される差動信号のコモンモードノイズを抑制する電流パルスを生成するように、前記第１及び第２の発生回路を制御する制御回路とを備える。
【０１１６】
この構成によれば、制御回路は、送信信号出力回路の駆動制御クロックに同期して、送信される差動信号のコモンモードノイズを抑制する電流パルスを生成するように、第１及び第２の発生回路を制御する。すなわち、制御回路は、送信される差動信号のコモンモードノイズと逆相の電流パルスを生成するように第１及び第２の発生回路を制御する。第１及び第２の発生回路は、差動信号のコモンモードノイズと逆相の電流パルスを生成し、この電流パルスがコモンモードノイズを打ち消すので、コモンモードノイズが抑制される。
【０１１７】
本開示の第２の態様にかかるコモンモードノイズ抑制回路は、第１の態様にかかるコモンモードノイズ抑制回路において、前記送信信号出力回路は、直流電源に接続された一端を有する第１の電流源と、接地された一端を有する第２の電流源と、前記第１の出力端子と前記第１の電流源の他端との間に接続された第１のスイッチと、前記第２の出力端子と前記第１の電流源の他端との間に接続された第２のスイッチと、前記第１の出力端子と前記第２の電流源の他端との間に接続された第３のスイッチと、前記第２の出力端子と前記第２の電流源の他端との間に接続された第４のスイッチと、前記第１の出力端子と前記第２の出力端子との間に接続された終端抵抗とを備え、前記送信信号出力回路は、当該送信信号出力回路の駆動制御クロックに同期して、前記第１、第２、第３及び第４のスイッチに対する駆動制御信号を発生し、前記第１、第２、第３及び第４のスイッチの少なくとも一部のスイッチをオン・オフすることにより差動信号を前記第１及び第２の出力端子から送信する。
【０１１８】
本開示の第３の態様にかかるコモンモードノイズ抑制回路は、第２の態様にかかるコモンモードノイズ抑制回路において、前記制御回路は、前記第１、第２、第３及び第４のスイッチの遷移状態と、前記第１及び第２の出力端子から送信される差動信号の遷移状態に対応して前記第１及び第２の発生回路を制御する制御信号との組合せである複数のケースを含む制御テーブルを格納する記憶装置を備え、前記制御回路は、前記第１及び第２の出力端子から送信される差動信号の信号電圧に基づいて、上記複数のケースから選択される１つのケース並びに前記制御信号のタイミング及び信号幅を変えながら前記コモンモードノイズが最小となるケース、タイミング及び信号幅を探索して、当該探索結果を設定して前記第１及び第２の発生回路を制御する。
【０１１９】
本開示の第４の態様にかかるコモンモードノイズ抑制回路は、第３の態様にかかるコモンモードノイズ抑制回路において、前記制御回路は、前記送信信号出力回路の動作時において前記コモンモードノイズが最小となるケース、タイミング及び信号幅を探索して、当該探索結果に基づいて前記第１及び第２の発生回路を適応制御する。
【０１２０】
本開示の第５の態様にかかるコモンモードノイズ抑制回路は、第２〜４の態様のうちのいずれか１つにかかるコモンモードノイズ抑制回路において、前記第１及び第２の電流源はそれぞれトランジスタで構成され、前記第１、第２、第３及び第４のスイッチはそれぞれトランジスタで構成される。
【０１２１】
本開示の第６の態様にかかるコモンモードノイズ抑制回路は、第１〜５の態様のうちのいずれか１つにかかるコモンモードノイズ抑制回路において、前記第１及び第２の発生回路はそれぞれ、前記第１又は第２の出力端子に接続された第３の出力端子と、前記直流電源に接続された一端を有する第３の電流源と、前記第３の電流源の他端と前記第３の出力端子との間に接続された第５のスイッチと、前記接地に接続された一端を有する第４の電流源と、前記第４の電流源の他端と前記第３の出力端子との間に接続された第６のスイッチとを備え、前記制御回路は、前記第５及び第６のスイッチを制御するためのスイッチ制御信号を発生する。
【０１２２】
本開示の第７の態様にかかるコモンモードノイズ抑制回路は、第１〜５の態様のうちのいずれか１つにかかるコモンモードノイズ抑制回路において、前記第１及び第２の発生回路はそれぞれ、前記第１又は第２の出力端子に接続された第３の出力端子と、直流電源と前記第３の出力端子との間に接続された、第３の電流源および第５のスイッチで構成される直列回路と、前記接地と前記第３の出力端子との間に接続された、第４の電流源および第６のスイッチで構成される直列回路とを備え、前記制御回路は、前記第５及び第６のスイッチを制御するためのスイッチ制御信号を発生する。
【０１２３】
本開示の第８の態様にかかるコモンモードノイズ抑制回路は、第６又は７の態様にかかるコモンモードノイズ抑制回路において、前記第３及び第４の電流源はそれぞれトランジスタで構成され、前記第５及び第６のスイッチはそれぞれトランジスタで構成される。
【０１２４】
本開示の第９の態様にかかるコモンモードノイズ抑制回路は、第６又は７の態様にかかるコモンモードノイズ抑制回路において、前記第３の電流源と前記第５のスイッチは１つのトランジスタで構成され、前記第４の電流源と前記第６のスイッチは１つのトランジスタで構成される。
【０１２５】
本開示の第１０の態様にかかるコモンモードノイズ抑制回路は、第１〜９の態様のうちのいずれか１つにかかるコモンモードノイズ抑制回路において、前記制御回路は、予め定められたタイミングで予め定められた期間、前記第１の出力端子又は前記第２の出力端子にそれぞれ電流を挿入し又は電流を引き抜くための電流を発生させるように、前記第１及び第２の発生回路を制御する。
【０１２６】
本開示の第１１の態様にかかるコモンモードノイズ抑制回路は、第１０の態様にかかるコモンモードノイズ抑制回路において、前記予め定められたタイミング及び前記予め定められた期間は、前記送信信号出力回路のコモンモードノイズの測定結果に基づいて予め前記制御回路に設定される。
【０１２７】
本開示の第１２の態様にかかる差動信号送信装置は、第１〜１１の態様のうちのいずれか１つにかかるコモンモードノイズ抑制回路と、前記送信信号出力回路とを備える。
【０１２８】
本開示の第１３の態様にかかる差動信号送信装置は、第１２の態様にかかる差動信号送信装置において、前記差動信号送信装置は半導体集積回路で構成される。
【０１２９】
本開示の第１４の態様にかかる差動信号送信装置は、第１２又は１３の態様にかかる差動信号送信装置において、前記差動信号送信装置は表示用画像データの差動信号を送信する。
【０１３０】
本開示の第１５の態様にかかる差動信号伝送システムは、第１２又は１３の態様にかかる差動信号送信装置と、前記差動信号送信装置からの差動信号を受信する差動信号受信装置とを備える。
【０１３１】
本開示の第１６の態様にかかる差動信号伝送システムは、第１４の態様にかかる差動信号送信装置と、前記差動信号送信装置からの差動信号を受信する差動信号受信装置とを備え、前記差動信号伝送システムは画像表示システムである。
【０１３２】
本開示の第１７の態様にかかる車載電子機器は、第１６の態様にかかる前記差動信号伝送システムを有する。
【産業上の利用可能性】
【０１３３】
本開示にかかるコモンモードノイズ抑制回路は、コモンモードノイズを低減する機能を有し、例えば表示装置を有する電子機器の電磁輻射ノイズ対策として有用である。
【符号の説明】
【０１３４】
１，１Ａ    差動信号送信装置
２    差動信号受信装置
３    差動信号伝送路
４    電圧検出器
５    適応化コントローラ
１１，１１Ａ    コモンモードノイズ抑制回路
１２，１２Ａ    送信信号出力回路
１５，１５Ａ    制御回路
１６，１６Ａ，１６Ｂ，１７    電流パルス発生回路
１８    テーブルメモリ
２１ａ，２２ａ，２１ｂ，２２ｂ，３１，３２    電流源トランジスタ
２３ａ，２４ａ，２３ｂ，２４ｂ，３３，３４，３５，３６    スイッチトランジスタ
３７    終端抵抗
３８，３９    出力端子
４０    コントローラ
４１，４２，４３，４４    制御パルス発生回路
４５，４６，５３    インバータ
４７，４９    アンドゲート
４８，７２，７３，７４，７５，８１，８２，８３，８４    可変遅延回路
５０    バッファ回路
５１−１〜５１−Ｎ    バッファ
５２    セレクタ回路
６１，６２    車載表示機器
６３，６４，６９    半導体集積回路
６５，６６，６７，６８    ケーブル
【図１】
2014241582.tif 000003
【図２】
2014241582.tif 000004
【図３Ａ】
2014241582.tif 000005
【図３Ｂ】
2014241582.tif 000006
【図３Ｃ】
2014241582.tif 000007
【図４】
2014241582.tif 000008
【図５Ａ】
2014241582.tif 000009
【図５Ｂ】
2014241582.tif 000010
【図６】
2014241582.tif 000011
【図７】
2014241582.tif 000012
【図８Ａ】
2014241582.tif 000013
【図８Ｂ】
2014241582.tif 000014
【図８Ｃ】
2014241582.tif 000015
【図８Ｄ】
2014241582.tif 000016
【図９】
2014241582.tif 000017
【図１０Ａ】
2014241582.tif 000018
【図１０Ｂ】
2014241582.tif 000019
【図１１】
2014241582.tif 000020
【図１２】
2014241582.tif 000021
【図１３】
2014241582.tif 000022